(57)【要約】【課題】袋体を破袋する複数の破袋刃が外周に沿って取り付けられた２個のロータを最近接位置が前記容器外径より小なる空隙をもって配設し、該両ロータの回転方向を前記最近接位置よりロータ外周面が互いに上方に向かって離れる方向に構成した破袋・除袋装置において、両ロータの外周面の軸芯より上方位置に設けた容器移動阻止部材に、クサビ状に噛み込んだ異物を容易に除去する機構を設けた破袋・除袋装置を提供することが課題である。【解決手段】容器移動阻止部材を、前記ロータ周面から離間する方向に移動可能に構成した。【選択図】　　図１
2004121933.tif 000002
【特許請求の範囲】
【請求項１】
最近接位置から遠ざかる方向に回転する一対のロータ周面に取り付けられて使用済みのビン、缶、プラスチックボトル等の廃棄容器が収納されたゴミ袋等の袋体を破袋する複数の破袋刃を持ち、前記両ロータの外周面の軸芯より上方位置に、前記廃棄容器と前記袋体を分離し、廃棄容器をロータ周面間の最近接位置側に戻す空隙を形成する容器移動阻止部材を設けて前記廃棄容器から袋体を分離、除去するように構成した破袋・除袋装置において、
前記容器移動阻止部材の固定解除手段により、前記容器移動阻止部材を前記ロータ周面から離間する方向に移動可能に構成したことを特徴とする破袋・除袋装置。
【請求項２】
前記容器移動阻止部材をロータ側とロータとは逆側に分割し、該分割点にロータ側容器排出制御部材の回転支点を設けると共に、ロータ側の容器移動阻止部材の回動阻止力付与手段と異なる方向に力を付勢する手段とを備え、該回動阻止力付与手段と異なる方向に力を付勢する手段により、ロータ側容器排出制御部材を回動させるようにしたことを特徴とする請求項１に記載した破袋・除袋装置。
【請求項３】
前記ロータ側の容器移動阻止部材の回動阻止力付与手段が、前記ロータ側の容器移動阻止部材の装置外面側に設けた回動阻止力を付与する弾性部材であることを特徴とする請求項２に記載した破袋・除袋装置。
【請求項４】
前記ロータ側の容器移動阻止部材の回動阻止力付与手段が、前記分割した容器移動阻止部材のそれぞれにおける装置外面側に設けた支点の間を結ぶクランク機構であることを特徴とする請求項２に記載した破袋・除袋装置。
【請求項５】
前記容器移動阻止部材を前記ロータ周面から離間する機構は、前記容器移動阻止部材をロータ側とロータとは逆側とに分割し、ロータ側容器移動阻止部材をロータとは逆側にスライド可能に構成してなることを特徴とする請求項１に記載した破袋・除袋装置。
【請求項６】
前記容器移動阻止部材をロータ側とロータとは逆側に分割し、該分割点にロータ側容器排出制御部材の回転支点を設けると共に、前記ロータ側容器移動阻止部材にロータの回転方向と逆方向から押圧する手段を設け、ロータと容器移動阻止部材間に異物が進入したとき、ロータの回転力により前記押圧手段の押圧力に抗し、前記ロータ側容器移動阻止部材が回動するよう構成したことを特徴とする請求項１に記載した破袋・除袋装置。
【発明の詳細な説明】
【０００１】
【発明の属する技術分野】
本発明は、使用済みのビン、缶、プラスチックボトル等の廃棄容器が収納されたゴミ袋等の袋体を破袋刃により破袋して、前記廃棄容器から袋体を分離し、該袋体のみを外部に除去するように構成された破袋・除袋装置に関する。
【０００２】
ごみ処理設備においては、ゴミ袋等の比較的大きな破袋強度を有する袋体内にビン、缶、プラスチックボトル等の廃棄容器が入った廃棄物から廃棄容器と袋体とを分離し、該廃棄容器をリサイクルするとともに、該袋体を外部に除去するようにした破袋装置が、処理設備の一つとして設置されている。
【０００３】
かかる破袋装置に関する従来技術としては、特許文献１乃至３等の発明がある。すなわち特許文献１においては、移動部に沿って配列された複数の爪を有する無端コンベアを、その上側の移動部の移動方向先が高位に位置するように配設するとともに、爪が通過可能なスリットを有するプレートを前記無端コンベアの上側の移動部に沿って該無端コンベアの上方に配設する一方、一端部がプレートに接し若しくは近接し、他端部がプレート外方に位置する堰止板を設け、該堰止板には爪が通過可能なスリットを設け、該爪を、弾性部材を有して、その爪先部にかかる抵抗に応じて移動方向と反対側に揺動可能若しくは起倒可能に構成されている。
【０００４】
また、特許文献２の発明においては、ケーシングの上部にごみの投入口を、下部にロータを、その下にビン等の排出口と、エアーの吹出口と、破袋したごみ袋の排出口を、排出口の回転方向後方に櫛歯状の邪魔板を設け、前記ロータは、放射状に延びる連結板と、該連結板端部に軸方向に一定間隔で固着される環状板と、周方向に一定間隔で前記環状板に突設される逆Ｖ字状の刃物を設け、ケーシングに設けたヒータ及び刃物と共にごみ袋を溶融し、引き裂いて破袋する。これにより、ごみ袋の中に入ったビン等は排出口より、破袋したごみ袋は別の排出口より排出され、刃物に付着したごみ袋は邪魔板の溝縁で擦り取られ除去される。
【０００５】
更に特許文献３においては、搬送面に多数の刃板および／または集袋板を立設したエンドレスコンベアと、該エンドレスコンベアを収容する機枠の入側に設けたごみ袋を投入するホッパーと、エンドレスコンベアの出口に設けた破袋後の内容物の排出シュートと、前記ホッパーからエンドレスコンベアの出口までの区間の複数位置に配列したコンベア上方の支持部材に吊支した個々に元位置への復元力を有する多数のキャッチャーとからなり、エンドレスコンベアにより搬送されるごみ袋の進行を前記キャッチャーにより妨げて刃板および／または集袋板により破袋し、かつ、ごみ袋がキャッチャーを撓ませて通過時にキャッチャー先端をごみ袋に突き刺して捕捉しつつ刃板および／または集袋板の進行力で袋を引きちぎり、あるいはキャッチャー先端で引っ掛け破ると共に、エンドレスコンベアを離脱する際の慣性力によって内容物を前記排出シュートへ、刃板および／または集袋板にからまって集袋された袋片を前記エンドレスコンベア下部へ導入するものである。
【０００６】
しかしながらこれら特許文献１及び３で開示された装置は、移動部に沿って複数の爪が配列された無端コンベアを設けた構造であるため、装置の長さが長くなって装置が大型化し、装置コストも高くなる。また、ビンが入った袋が爪に架けられて無端コンベアの斜面を上がる際に、袋が爪から外れて無端コンベアの下方に落下して、内部のビンが割れ、回収が不能になるという事態の発生をみる。
【０００７】
また、かかる従来技術にあっては、ビンが入った袋を長尺の無端コンベアに沿って該コンベアの上端部まで運び、該上端部に対応して設けられた堰止板にて破袋しビンを落下させるようになっているため、ビン同士の衝突音や、ビンがコンベアの面や爪に衝突しながら落下する際の衝突音等により騒音が大きい。さらには、長尺の無端コンベアを斜め上方に延設しているため、コンベアの張力調整を随時行うことを要し、またコンベアの洗浄には手間がかかり、整備性が良好でない、等の問題点を有している。
【０００８】
また特許文献２の発明においては、１つのロータの回転に従い、該ロータの外周に円周方向に沿って取り付けられた逆Ｖ字状の刃物とヒータとによってビンが入った袋を溶融、破袋し、刃物に付着した袋を邪魔板の溝縁で擦り取って除去するようになっているため、袋が刃物によって穿孔、引き裂き作用を受ける期間が短く、ヒータとによる袋の溶融作用が付加されても袋とビンとの分離が充分になされず、ビン側に袋の残骸が付着し、ビンの回収作用が充分になされないという問題点がある。
【０００９】
そのため本願出願人は特許文献４において、使用済みのビン等の廃棄容器が収納された袋体を破袋するため、互いに逆方向に回転せしめられて袋体を破袋する複数の破袋刃が外周に沿って取り付けられた２個のロータを、該両ロータの回転軸心が平行になるようにすると共に両ロータ周面間の最近接位置が前記容器外径より小なる空隙をもって配設し、該両ロータの回転方向を前記最近接位置よりロータ外周面が互いに離れる方向に上方に向かって形成するとともに、該両ロータの外周面の軸芯より上方位置に、前記廃棄容器と前記袋体を分離し、廃棄容器をロータ周面間の最近接位置側に戻す容器移動阻止空隙を形成する容器移動阻止部材を設け、装置を小型コンパクト化し、ヒータ等の格別な袋体の溶融手段を不要としてビン等の廃棄容器と袋体との分離を効率的かつ確実に行うことができるとともに、騒音が低減され、さらには整備性が向上された破袋・除袋装置を提供してきた。
【００１０】
【特許文献１】
特開平２０００−７９３４９号
【特許文献２】
特開平１０−５６１４号
【特許文献３】
特開平１０−２３０１８４号
【特許文献４】
特開２００２−６６３７１号公報
【００１１】
【発明が解決しようとする課題】
しかしながら、この特許文献４に示された装置においては、図７に示したように、両ロータ１の外周面の軸芯より上方位置に、前記廃棄容器と前記袋体を分離し、廃棄容器をロータ周面間の最近接位置側に戻す容器移動阻止空隙を形成する容器移動阻止部材５が設けられているが、破袋された袋体１１や破袋物に紛れてこの隙間に潰れた缶などが異物としてクサビ状に噛み込み、塞がってしまう場合がある。しかしながらこの空隙は、破袋された袋体が通過するところであると共にロータ上に設けられた破袋刃４の通路でもあり、塞がれた場合は装置の機能を充分に発揮出来ないだけでなく、破袋刃４の破損を引き起こすことにもなる。そのため、定期的、あるいは異物噛み込みを検知してこれを知らせるなどし、異物を取り除く作業が必要であるが、特許文献４に示された装置では、ロータを逆回転させると廃棄容器などが両ロータの最近接位置側に挟み込まれてしまって装置が停止する可能性があり、ロータを逆回転させることが出来ないため、クサビ状に噛み込んだ異物を引き抜く、あるいは押し出して除去する必要があり、除去に大変手間がかかる。
【００１２】
そのため本発明においては、特許文献４に記載された破袋・除袋装置を構成する両ロータの外周面の軸芯より上方位置に設けた容器移動阻止部材に、クサビ状に噛み込んだ異物を容易に除去する機構を設けた破袋・除袋装置を提供することが課題である。
【００１３】
【課題を解決するための手段】
上記課題を解決するため請求項１に記載した発明は、
最近接位置から遠ざかる方向に回転する一対のロータ周面に取り付けられて使用済みのビン、缶、プラスチックボトル等の廃棄容器が収納されたゴミ袋等の袋体を破袋する複数の破袋刃を持ち、前記両ロータの外周面の軸芯より上方位置に、前記廃棄容器と前記袋体を分離し、廃棄容器をロータ周面間の最近接位置側に戻す空隙を形成する容器移動阻止部材を設けて前記廃棄容器から袋体を分離、除去するように構成した破袋・除袋装置において、
前記容器移動阻止部材の固定解除手段により、前記容器移動阻止部材を前記ロータ周面から離間する方向に移動可能に構成したことを特徴とする。
【００１４】
このようにすることにより、容器移動阻止部材とロータ間に潰れた缶などが異物としてクサビ状に噛み込んでも、引き抜いたり押し出したりすることなく容器移動阻止部材を前記ロータ周面から離間すればよいから、非常に簡単、容易に異物を除去することが可能となり、破袋刃の破損を引き起こしたり、装置の機能が充分発揮できないなどの事態の発生を防止できる。
【００１５】
そして容器移動阻止部材を前記ロータ周面から離間する機構は、請求項２に記載したように、
前記容器移動阻止部材をロータ側とロータとは逆側に分割し、該分割点にロータ側容器排出制御部材の回転支点を設けると共に、ロータ側の容器移動阻止部材の回動阻止力付与手段と異なる方向に力を付勢する手段とを備え、該回動阻止力付与手段と異なる方向に力を付勢する手段により、ロータ側容器排出制御部材を回動させるようにしたことを特徴とする。
【００１６】
このようにすることにより、容器移動阻止部材とロータ間に潰れた缶などが異物としてクサビ状に噛み込んでも、ロータ側容器排出制御部材を回動させれば非常に簡単、容易に異物を除去することが可能となり、破袋刃の破損を引き起こしたり、装置の機能が充分発揮できないなどの事態の発生を防止できる。
【００１７】
そして請求項３に記載した発明は、
前記ロータ側の容器移動阻止部材の回動阻止力付与手段が、前記ロータ側の容器移動阻止部材の装置外面側に設けた回動阻止力を付与する弾性部材であることを特徴とする。
【００１８】
このようにロータ側の容器移動阻止部材の回動阻止力付与手段を構成することにより、ロータ側の容器移動阻止部材に取っ手などを設け、常時は弾性部材により運ばれてくる廃棄容器を含んだ袋体を容器移動阻止部材としてしっかり阻止し、ロータと容器移動阻止部材との隙間に袋体や、破袋物に紛れて潰れた缶などの異物が噛み込んだときには、前記取っ手により、弾性部材の押圧力に抗してロータ側の容器移動阻止部材を回動させれば容易に異物を除去できる。
【００１９】
そして請求項４に記載した発明は、
前記ロータ側の容器移動阻止部材の回動阻止力付与手段が、前記分割した容器移動阻止部材のそれぞれにおける装置外面側に設けた支点の間を結ぶクランク機構であることを特徴とする。
【００２０】
このように分割した容器移動阻止部材のそれぞれをクランク機構で結ぶことにより、常時は運ばれてくる廃棄容器を含んだ袋体を容器移動阻止部材の回動をしっかり阻止し、ロータと容器移動阻止部材との隙間に袋体や、破袋物に紛れて潰れた缶などの異物が噛み込んだときにはクランク機構により、ロータ側の容器移動阻止部材の回動阻止力付与手段と異なる方向に力を付勢することによってロータ側容器移動阻止部材回動させることができ、異物の除去を非常に簡単におこなうことができる。
【００２１】
そして請求項５に記載した発明は、
前記容器移動阻止部材を前記ロータ周面から離間する機構は、前記容器移動阻止部材をロータ側とロータとは逆側とに分割し、ロータ側容器移動阻止部材をロータとは逆側にスライド可能に構成してなるたことを特徴とする。
【００２２】
このようにすることにより、容器移動阻止部材とロータ間に潰れた缶などが異物としてクサビ状に噛み込んでも、引き抜いたり押し出したりすることなく、ロータ側容器移動阻止部材をロータ側とは逆側にスライドさせるだけで非常に簡単に異物を容易に除去することが可能となり、破袋刃の破損を引き起こしたり、装置の機能が充分発揮できないなどの事態の発生を防止できる。
【００２３】
そして請求項６に記載した発明は、
前記容器移動阻止部材をロータ側とロータとは逆側に分割し、該分割点にロータ側容器排出制御部材の回転支点を設けると共に、前記ロータ側容器移動阻止部材にロータの回転方向と逆方向から押圧する手段を設け、ロータと容器移動阻止部材間に異物が進入したとき、ロータの回転力により前記押圧手段の押圧力に抗し、前記ロータ側容器移動阻止部材が回動するよう構成したことを特徴とする。
【００２４】
このようにすることにより、ロータと容器移動阻止部材間に異物が進入してロータの回転力によってロータ側容器移動阻止部材が押されたとき、その押圧力が押圧手段の押圧力より大きければロータ側容器移動阻止部材は回動し、異物はロータの回転方向に運ばれて取り除かれる。しかも異物が無くなった後は、押圧手段の押圧力で容器移動阻止部材は元の位置に戻るから、異物の噛み込みが発生しても、全く自動的に異物の除去を行うことができ、非常に簡単な機構で破袋刃の破損を引き起こしたり、装置の機能が充分発揮できないなどの事態の発生を防止できる。
【００２５】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００２６】
図１は、本発明になる破袋・除袋装置の容器移動阻止部材とロータの間の異物を除去する機構を説明するための図、図２は本発明になる破袋・除袋装置の容器移動阻止部材とロータの間の異物を除去する機構の第１実施形態の説明図、図３は本発明になる破袋・除袋装置の容器移動阻止部材とロータの間の異物を除去する機構の第２実施形態の説明図、図４は本発明になる破袋・除袋装置の容器移動阻止部材とロータの間の異物を除去する機構の第３実施形態の説明図、図５は本発明の実施例に係る破袋・除袋装置における主要部の構成を説明するための全体斜視図、図６は本発明の実施例に係る破袋・除袋装置の正面図である。
【００２７】
最初に図５、図６を用い、本発明になる破袋・除袋装置の概略を説明する。図５、図６において、１ａ及び１ｂは円筒状に形成された１対のロータで、回転軸心７ａ及び７ｂが平行になるように配設され、モータ（図示省略）により互いに逆方向に回転せしめられる回転軸２ａ及び２ｂに固着されている。前記１対のロータ１ａ及び１ｂは、その回転軸心７ａ及び７ｂが水平線に対して傾斜角α＝５°〜１０°程度、長手方向において一方向、つまり袋体１１を分離した後のビン１０の出口側が下方になるように傾斜せしめられている。５０は前記傾斜角αを調整するための傾斜角調整装置で、図示しない操作手段により、前記回転軸２ａ、２ｂ、及びロータ１ａ、１ｂの回転軸心７ａ、７ｂを上下方向に移動せしめて該ロータ１ａ、１ｂの傾斜角αを変化せしめるようになっている。図６の１４は前記１対のロータ１ａ、１ｂ間の上部に形成された袋体１１の移動空間で、ロータ１ａ及び１ｂの傾斜配置により、高位側となっている該移動空間１４の上部側に前記袋体１１が供給されるようになっている。１０は該袋体１１内から出された状態にあるビンを示す。
【００２８】
前記各ロータ１ａ及び１ｂの外周面には、図５に示されるように、該ロータ１ａ及び１ｂの円周方向に等間隔に、かつ軸方向にも列をなして等間隔に破袋刃４が固定されている（必ずしも円周方向あるいは軸方向に等間隔でなくても千鳥状若しくは段差状に形成してもよい）。この破袋刃４は、前記各ロータ１ａ及び１ｂの回転により前記袋体１１に穿孔し、破裂せしめる刃先を有する縦刃４１と横刃４２とで構成されている。また、前記各ロータ１ａ及び１ｂの外周面における前記破袋刃４が取り付けられた間の部位には、前記ビン１０が入った袋体１１との衝突を緩和するとともに、袋体１１を滑り易くするための外装材７（フッ素ゴムやプラスチック樹脂、摺動性の良好な布、フッ素樹脂テープ等が好適）が貼設されている。５は前記各ロータ１ａ及び１ｂの外周上部に設けられた容器移動阻止部材で、前記移動空間１４に対し、前記各ロータ１ａ及び１ｂの回転方向Ｎにおける出口側部位に、各ロータ１ａ及び１ｂの外周面と所定量の隙間１３を存して設けられている。該隙間１３は、前記ビン１０の口径（通常２５ｍｍ程度）よりもある程度小さく形成され、ビン１０の口部が該隙間内に入り込まず、かつビン１０を分離した前記袋体１１が通過可能となるような寸法に形成されている。
【００２９】
５１は、前記両ロータの外周面上方位置に設けた容器移動阻止部材５よりロータ回転方向下流側に、前記両ロータの回転方向に沿う順方向、より具体的には接線方向に空気を噴出して前記袋体の破袋刃４よりの分離を行う空気噴出手段（空気ノズル）で、前記両ロータ１ａ及び１ｂの外周面上に突設する破袋刃４に絡まった袋体１１に向けて空気を噴出し、前記両ロータ１ａ及び１ｂが次の破袋動作にうつる前に、言い換えれば両ロータ１ａ及び１ｂに絡まった袋体１１が最近接位置に復帰する前に、ビン１０から分離した切り欠き状の袋体１１を除去するものである。
【００３０】
かかる構成からなる破袋・除袋装置において、内部にビン１０が入った袋体１１は、前記両ロータ１ａ及び１ｂの軸線上流方向（図５では右側）から前記移動空間１４の上部側に供給され、該移動空間１４において、互いに逆方向に回転せしめられる１対のロータ１ａ及び１ｂの外周に接触しながら、該ロータ１ａ及び１ｂの回転により外側、即ち前記容器移動阻止部材５の隙間１３側に向かって移動せしめられる。この際において、前記ロータ１ａ及び１ｂの回転により、該ロータ１ａ及び１ｂの外周面から半径方向に突設された前記破袋刃４の縦刃４１の刃先が、袋体１１に円周方向に食い込んで該袋体１１に穿孔し、この孔を起点として円周方向に引き裂き、内部のビン１０が移動空間１４側に戻される。そして、前記ロータ１ａ及び１ｂの回転により該袋体１１が前記容器移動阻止部材５の隙間１３に移動せしめられると、前記横刃４２の上方に向けて尖った刃先を有する複数の刃が、前記容器移動阻止部材５の下端縁との共働により前記ビン１０を分離して、袋体１１が前記隙間１３を通過可能となるように小さく切り刻む。
【００３１】
そして、このようにして袋体１１から内部のビン１０などの廃棄容器が移動空間１４側に戻されるわけであるが、前記各ロータ１ａ、１ｂの外周面には前記外装材７が貼設されているため、該外装材７の緩衝作用によりビン１０とロータ１ａ、１ｂの表面との衝突が緩和され、前記衝突によるビン１０の割れの発生が回避されるとともに、該外装材７の表面が滑り易くなっているため、該表面に袋体１１が接着するのが防止され、滑らかな排出がなされる。また、ビン１０が分離された袋体１１は、前記ロータ１ａ、１ｂと容器移動阻止部材５との隙間１３を通して前記ロータ１ａ、１ｂ回転方向下流側に導かれ、そして空気ノズル５１よりの空気噴出流５２によって、破袋刃４に狭着していた切り裂き袋体１１は、前記前記ロータ１ａ、１ｂに残留させることなく、空気力により外部に確実に排出せしめることができる。
【００３２】
以上が本発明になる破袋・除袋装置の概略であるが、本発明においては、この容器移動阻止部材５を図１に示したように、ロータ１側の容器移動阻止部材５ａと、ロータ１とは逆側の容器移動阻止部材５ｂの２つに分割すると共に、ロータ１側の容器移動阻止部材５ａをロータ１の回転方向Ｎに回動可能に構成し、容器移動阻止部材５ａを前記ロータ１の周面から離間する方向に容器移動阻止部材５ａを移動可能にしたものである。そのため、破袋された袋体１１や、破袋物に紛れて潰れた缶などが異物としてロータ１と容器移動阻止部材５との隙間に噛み込んでも、非常に容易に取り出すことができる。
【００３３】
そして、ロータ１側の容器移動阻止部材５ａにおける回動機構の第１実施形態を示したのが図２である。この第１実施形態においては、ロータ１側の容器移動阻止部材５ａと、ロータ１とは逆側の容器移動阻止部材５ｂとの間に容器移動阻止部材５ａをロータ１の回転方向に回動できるようにする支点２０を設ける。そして、容器移動阻止部材５ａ、５ｂにおける装置外面側に支点２１、２２を有する部材２３、２４を設け、容器移動阻止部材５ｂ側の支点２１にこの支点２１を中心に揺動する容器移動阻止部材開閉ステー２５を容器移動阻止部材５ａの固定解除手段として取り付けると共に、容器移動阻止部材５ａ側の支点２２とこの容器移動阻止部材開閉ステー２５の支点２６を部材２７で結び、クランク機構を構成したものである。このようにロータ１側の容器移動阻止部材５ａにおける回動機構を構成することにより、容器移動阻止部材５ａの固定解除手段としての容器移動阻止部材開閉ステー２５を矢印２８方向に揺動させると、部材２７によって容器移動阻止部材５ａが矢印２９のように図１のロータ１の回転方向に回動し、容器移動阻止部材５ａ、部材２７、容器移動阻止部材開閉ステー２５が点線で示した位置に来る。
【００３４】
すなわちこの容器移動阻止部材５は、回動可能に構成してロータ１と容器移動阻止部材５との隙間に噛み込んだ袋体１１や、破袋物に紛れて潰れた缶などの異物を容易に取り除けるようにしたいが、前記したようにこの容器移動阻止部材５には、ロータ１上に設けられた破袋刃４により廃棄容器を含んだ袋体１１が運ばれて当たり、大きな負荷が掛かる。そのため強固な固定が求められるが、ボルトのようなもので固定した場合はボルトを緩めたり締めたりという作業が加わって作業性が悪くなる。しかしながら、この第１実施形態のようにクランク機構で容器移動阻止部材５ａを回動できるようにすることで、常時は容器移動阻止部材５ａに掛かる力は部材２７を押し上げる方向の力が弱いため回動せず、容器移動阻止部材５として運ばれてくる廃棄容器を含んだ袋体１１をしっかり阻止し、ロータ１と容器移動阻止部材５との隙間に袋体１１や、破袋物に紛れて潰れた缶などの異物が噛み込んだときには容易に回動させて、これら異物を取り除くことができる。
【００３５】
図３は、ロータ１側の容器移動阻止部材５ａにおける回動機構の第２実施形態である。２０は、前記第１実施形態と同様ロータ１側の容器移動阻止部材５ａとロータ１とは逆側の容器移動阻止部材５ｂとの間に設けられ、容器移動阻止部材５ａをロータ１の回転方向に回動できるようにする支点である。そしてこの第２実施形態においては、容器移動阻止部材５ａ、５ｂにおける装置外面側に、支点３０、３１、３２を有する部材３３、３４を設けると共に支点３１と３２間をガスダンパ３５などの弾性部材で結んで容器移動阻止部材５ａの固定手段とし、さらに容器移動阻止部材５ａに容器移動阻止部材開閉ステー３６を容器移動阻止部材５ａの固定解除手段として設けたものである。このようにロータ１側の容器移動阻止部材５ａにおける回動機構を構成することにより、常時は容器移動阻止部材５ａに掛かる力はガスダンパ３５を押し上げる方向の力が弱いため回動せず、ガスダンパ３５によってこの容器移動阻止部材５ａは運ばれてくる廃棄容器を含んだ袋体１１をしっかり阻止し、容器移動阻止部材開閉ステー３６をガスダンパ３５の押圧力に抗して矢印３７方向に持ち上げると、容器移動阻止部材５ａが矢印３８のように回動し、容器移動阻止部材５ａ、ガスダンパ３５、容器移動阻止部材開閉ステー３６が点線で示した位置に来る。そのため、ロータ１と容器移動阻止部材５との隙間に袋体１１や、破袋物に紛れて潰れた缶などの異物が噛み込んだときには、容易にこれら異物を取り除くことができる。
【００３６】
なお、ロータ１側の容器移動阻止部材５ａを回動させる機構としては、以上説明してきた第１実施形態、第２実施形態のみだけでなく、種々の方法が考えられる。すなわち、ロータ１側の容器移動阻止部材５ａに前記図２、図３に示したような回動のための支点２０を設け、さらにこの容器移動阻止部材５ａに、ロータ１の回転方向と逆方向から押圧するスプリングコイル、トーションバー、シリンダーなどの手段でテンションを掛けておく。すると、ロータ１と容器移動阻止部材５との隙間に袋体１１や、破袋物に紛れて潰れた缶などの異物が噛み込み、ロータ１の回転力によって容器移動阻止部材５ａに一定以上の負荷が作用すると、前記押圧手段の押圧力に抗し、容器移動阻止部材５ａが回動して異物がロータ１の回転方向に運ばれて取り除かれ、その後押圧手段の押圧力で容器移動阻止部材５ａは元の位置に戻る。このようにすることにより、異物の噛み込みが発生した場合、全く自動的に異物の除去を行うことができる。
【００３７】
図４は、ロータ１と容器移動阻止部材５との隙間に袋体１１や、破袋物に紛れて潰れた缶などの異物が噛み込んだ時に、容器移動阻止部材５ａを待避させるための第３実施形態である。この第３実施形態では、容器移動阻止部材５を回動させて異物を取り除けるようにするのではなく、容器移動阻止部材５を二つに分割してロータ側容器移動阻止部材を上下にスライドできるようにし、容器移動阻止部材５ａを前記ロータ１の周面から離間する方向に移動可能にしたものである。すなわち図４において、５ｃ、５ｄは二つに分割した容器移動阻止部材５であり、ロータ１側の容器移動阻止部材５ｃには、ストッパー４５、取っ手４６が設けられ、ロータ１と逆側の容器移動阻止部材５ｄには、容器移動阻止部材５ｃを保持してスライド可能にする保持部材４７、４８が設けられている。なおストッパー４５は、容器移動阻止部材５ｃを保持部材４７、４８に挿入した後、ネジ止めするか溶接するようにする。
【００３８】
このようにロータ１側の容器移動阻止部材５ｃを構成することにより、容器移動阻止部材５ｃは、図４（Ａ）のように容器移動阻止部材５ｄに設けられた保持部材４７にストッパー４５が当たり、定位置で運ばれてくる廃棄容器を含んだ袋体１１をしっかり阻止する。そして、ロータ１と容器移動阻止部材５との隙間に袋体１１や、破袋物に紛れて潰れた缶などの異物が噛み込んだときには、取っ手４６を持って図４（Ｂ）のように持ち上げることにより、噛み込んだ異物は容易に取り除くことができる。
【００３９】
以上が本発明になる破袋・除袋装置におけるロータ１と容器移動阻止部材５間に噛み込んだ異物を除去する機構の詳細であるが、本発明における異物除去は、次のようにして行う。すなわち本発明における図５に示したような除袋・破袋装置において、ロータ１と容器移動阻止部材５との隙間に袋体１１や、破袋物に紛れて潰れた缶などの異物が噛み込んだ場合、ロータ１ａまたは１ｂが回転を停止するか、または噛み込んだ方のロータ１の回転軸２ａ、２ｂにかかるトルクが大きくなる。また異物が噛み込んだ場合、前記したように容器移動阻止部材５自身にも、ロータ１の回転力によって容器移動阻止部材５に一定以上の負荷が作用する。そのため、両ロータ１ａ、１ｂを回転させる図示していないモータを駆動する電流値、ロータ１の回転軸２ａ、２ｂにかかるトルク、容器移動阻止部材５自身にかかる負荷を監視し、これらが一定値以上になったときに異物の噛み込みがあったと判定する。
【００４０】
そしてこのように異物の噛み込みがあったら、次に本発明の破袋・除袋装置に廃棄容器を収容した袋体１１を供給する供給装置を停止し、破袋・除袋装置への処理物供給を停止する。そして本発明の破袋・除袋装置を停止し、噛み込みが発生していることを制御盤、あるいは操作盤などに設けた表示器や警報機を用いて周囲に知らせる。そして前記した図２に示した本発明の第１実施形態や図３に示した第２実施形態においては、容器移動阻止部材開閉ステー２５、または３６を操作し、容器移動阻止部材５ａを回動させて噛み込んだ異物を除去し、図４に示した本発明の第３実施形態においては、取っ手４６により容器移動阻止部材５ｃを持ち上げて異物を除去する。
【００４１】
このようにすることにより、ロータ１と容器移動阻止部材５との隙間に袋体１１や破袋物に紛れて潰れた缶などの異物が噛み込んでも、破袋刃４の破損などが引き起こされる以前に簡単な手間で異物を除去することができ、常時装置の機能を充分発揮できるようになる。
【００４２】
【発明の効果】
以上記載の如く請求項１に記載した本発明によれば、容器移動阻止部材とロータ間に潰れた缶などが異物としてクサビ状に噛み込んでも、引き抜いたり押し出したりすることなく容器移動阻止部材を前記ロータ周面から離間すればよいから、非常に簡単、容易に異物を除去することが可能となり、破袋刃の破損を引き起こしたり、装置の機能が充分発揮できないなどの事態の発生を防止できる。
【００４３】
そして請求項２に記載した本発明によれば、容器移動阻止部材とロータ間に潰れた缶などが異物としてクサビ状に噛み込んでも、ロータ側容器排出制御部材を回動させれば非常に簡単、容易に異物を除去することが可能となり、破袋刃の破損を引き起こしたり、装置の機能が充分発揮できないなどの事態の発生を防止できる。
【００４４】
そして請求項３に記載した本発明によれば、ロータ側の容器移動阻止部材の回動阻止力付与手段を、ロータ側の容器移動阻止部材の装置外面側に回動阻止力を付与する弾性部材で構成することにより、ロータ側の容器移動阻止部材に取っ手などを設け、常時は弾性部材により運ばれてくる廃棄容器を含んだ袋体を容器移動阻止部材としてしっかり阻止し、ロータと容器移動阻止部材との隙間に袋体や、破袋物に紛れて潰れた缶などの異物が噛み込んだときには、前記取っ手により、弾性部材の押圧力に抗してロータ側の容器移動阻止部材を回動させれば容易に異物を除去できる。
【００４５】
そして請求項４に記載した本発明によれば、分割した容器移動阻止部材のそれぞれをクランク機構で結ぶことにより、常時は運ばれてくる廃棄容器を含んだ袋体を容器移動阻止部材の回動をしっかり阻止し、ロータと容器移動阻止部材との隙間に袋体や、破袋物に紛れて潰れた缶などの異物が噛み込んだときにはクランク機構により、ロータ側の容器移動阻止部材の回動阻止力付与手段と異なる方向に力を付勢することによってロータ側容器移動阻止部材回動させることができ、異物の除去を非常に簡単におこなうことができる。
【００４６】
そして請求項５に記載した本発明によれば、容器移動阻止部材とロータ間に潰れた缶などが異物としてクサビ状に噛み込んでも、引き抜いたり押し出したりすることなく、ロータ側容器移動阻止部材をロータ側とは逆側にスライドさせるだけで非常に簡単に異物を容易に除去することが可能となり、破袋刃の破損を引き起こしたり、装置の機能が充分発揮できないなどの事態の発生を防止できる。
【００４７】
そして請求項６に記載した本発明によれば、ロータと容器移動阻止部材間に異物が進入してロータの回転力によってロータ側容器移動阻止部材が押されたとき、その押圧力が押圧手段の押圧力より大きければロータ側容器移動阻止部材は回動し、異物はロータの回転方向に運ばれて取り除かれる。しかも異物が無くなった後は、押圧手段の押圧力で容器移動阻止部材は元の位置に戻るから、異物の噛み込みが発生しても、全く自動的に異物の除去を行うことができ、非常に簡単な機構で破袋刃の破損を引き起こしたり、装置の機能が充分発揮できないなどの事態の発生を防止できる。
【図面の簡単な説明】
【図１】本発明になる破袋・除袋装置の容器移動阻止部材とロータの間の異物を除去する機構を説明するための図である。
【図２】本発明になる破袋・除袋装置の容器移動阻止部材とロータの間の異物を除去する機構の第１実施形態の説明図である。
【図３】本発明になる破袋・除袋装置の容器移動阻止部材とロータの間の異物を除去する機構の第２実施形態の説明図である。
【図４】本発明になる破袋・除袋装置の容器移動阻止部材とロータの間の異物を除去する機構の第３実施形態の説明図である。
【図５】本発明の実施例に係る破袋・除袋装置における主要部の構成を説明するための全体斜視図である。
【図６】本発明の実施例に係る破袋・除袋装置の正面図である。
【図７】従来の破袋・除袋装置における容器移動阻止部材とロータの間に噛み込んだ異物の説明図である。
【符号の説明】
１ａ、１ｂ　ロータ
４　破袋刃
５ａ、５ｂ　容器移動阻止部材
１１　袋体
【図１】
2004121933.tif 000003
【図２】
2004121933.tif 000004
【図３】
2004121933.tif 000005
【図４】
2004121933.tif 000006
【図５】
2004121933.tif 000007
【図６】
2004121933.tif 000008
【図７】
2004121933.tif 000009